(57)【要約】【課題】  複数の表示器を視認した際に統一感がある表示装置を提供する。【解決手段】  保護パネル部材８０は、第一の表示器２０，３０及び第二の表示器１０を透視可能である。第一の表示器２０，３０が透明接着剤４０にて保護パネル部材８０に密着されている。保護パネル部材８０は、第二の表示器１０を視認可能な開口８２ａを有する遮光部８２と、正面視で遮光部８２に一部が重なり第二の表示器１０の前側に配置された反射抑制部８３，８４ｂを有する。【選択図】  図２
2015148680.tif 000002
【特許請求の範囲】
【請求項１】
第一の表示器と、第二の表示器と、前記第一の表示器及び前記第二の表示器を透視可能な保護パネル部材と、を備え、前記第一の表示器が透明接着剤にて前記保護パネル部材に密着された表示装置であって、
前記保護パネル部材は、前記第二の表示器の前側に配置された反射抑制部を有することを特徴とする表示装置。
【請求項２】
第一の表示器と、第二の表示器と、前記第一の表示器及び前記第二の表示器を透視可能な保護パネル部材と、を備え、前記第一の表示器が透明接着剤にて前記保護パネル部材に密着された表示装置であって、
前記保護パネル部材は、前記第二の表示器を視認可能な開口を有する遮光部と、正面視で前記遮光部に一部が重なり前記第二の表示器の前側に配置された反射抑制部を有することを特徴とする表示装置。
【請求項３】
前記反射抑制部は、ＡＲ層であることを特徴とする請求項１または請求項２に記載の表示装置。
【請求項４】
前記反射抑制部は、モスアイ層であることを特徴とする請求項１または請求項２に記載の表示装置。
【請求項５】
前記反射抑制部は、スモーク印刷層であることを特徴とする請求項１または請求項２に記載の表示装置。
【発明の詳細な説明】
【技術分野】
【０００１】
本発明は、複数の表示器を備えた表示装置に関するものである。
【背景技術】
【０００２】
従来の表示装置は、例えば、特許文献１に開示されるものがある。この表示装置は、所定の隙間をあけて配列され、夫々独立して画像表示が可能な複数の表示ユニットと、所定の隙間を開けて配列され、それぞれが独立して画像表示が可能な複数の表示ユニットと、複数の表示ユニット側が裏面となるように、複数の表示ユニットの前面に配置された保護板と、複数の保護板の裏面に貼付され、複数の保護板を連結する可撓性を有した連結シートと、複数の表示ユニットのそれぞれの表示面を覆うように配設された透光性接着剤層と、を備え、連結シートによって連結された複数の保護板が、連結シートを間に介して、または直接に透光性接着剤層により複数の表示ユニットと接着されることで、複数の表示ユニットが連結されている。
【先行技術文献】
【特許文献】
【０００３】
【特許文献１】特開２０１３−１３０７７９号公報
【発明の概要】
【発明が解決しようとする課題】
【０００４】
しかしながら、特許文献１に記載の表示装置は、複数の表示ユニットを単一のシートに透明接着剤を介して接着され、統一感をもたせるものであるが、例えば３個の表示ユニットを用意し、２個の表示ユニットはＴＦＴディスプレイ（ＩＰＳモード）、１個の表示ユニットをセグメントＬＣＤ(ＴＮモード)とした場合、セグメントＬＣＤは透明接着剤があることによって熱膨張し、ＬＣＤのセルギャップが変化して白抜けが発生してしまうため接着できず、接着剤の有り無しで複数の表示ユニットの見栄えが変わって、統一感が損なわれるという問題を有している。
本発明は、前記問題を解消し、複数の表示器を視認した際に統一感がある表示装置を提供するものである。
【課題を解決するための手段】
【０００５】
本発明は、第一の表示器と、第二の表示器と、前記第一の表示器及び前記第二の表示器を透視可能な保護パネル部材と、を備え、前記第一の表示器が透明接着剤にて前記保護パネル部材に密着された表示装置であって、前記保護パネル部材は、前記第二の表示器の前側に配置された反射抑制部を有するものである。
【０００６】
また、本発明は、第一の表示器と、第二の表示器と、前記第一の表示器及び前記第二の表示器を透視可能な保護パネル部材と、を備え、前記第一の表示器が透明接着剤にて前記保護パネル部材に密着された表示装置であって、前記保護パネル部材は、前記第二の表示器を視認可能な開口を有する遮光部と、正面視で前記遮光部に一部が重なり前記第二の表示器の前側に配置された反射抑制部を有するものである。
【０００７】
また、本発明は、前記反射抑制部は、ＡＲ層であるものである。
【０００８】
また、本発明は、前記反射抑制部は、モスアイ層であるものである。
【０００９】
また、本発明は、前記反射抑制部は、スモーク印刷層であるものである。
【発明の効果】
【００１０】
第一の表示器は透明接着剤によって外光反射が抑制され、第二の表示器は反射抑制層によって外光反射が抑制されるため、第一の表示器と第二の表示器とを視認したときに統一感がある。
【図面の簡単な説明】
【００１１】
【図１】本発明の第一実施形態を示す正面図。
【図２】同上実施形態を示す断面図。
【図３】本発明の第二実施形態を示す断面図。
【図４】本発明の第三実施形態を示す断面図。
【図５】同上実施形態を示す要部拡大断面図。
【発明を実施するための形態】
【００１２】
以下、添付図面に基づいて、本発明の一実施形態を説明する。図１及び図２は、第一実施形態を示すものである。車両用表示装置は、表示器１０，２０，３０，回路基板５０，ケース６０，保護パネル部材８０を備えている。
【００１３】
表示器１０は、透明電極膜が形成された一対のガラス基板に液晶を封入した液晶セルの前後両面に偏光部材を貼着した液晶表示パネルからなるものであり、例えば車両速度をデジタル表示する。表示器１０は、可撓性配線部材（図示しない）にて回路基板５０に電気的に接続されている。表示器１０は、回路基板５０の前面に搭載された発光素子５１によって透過照明される。表示器１０は、保護パネル部材８０から所定間隔を有するように、上ケース６１に保持されている。
【００１４】
表示器２０，３０は、ＴＦＴ型カラー液晶モジュールからなるものであり、例えばナビゲーション情報，燃料消費率などの車両情報や、音楽情報などのエンターテイメント情報を表示する。表示器１０は、２個の表示器２０，３０の間に配置される。
【００１５】
回路基板５０は、ガラスエポキシ樹脂からなる基材に銅箔からなる配線パターンを形成したものであり、発光素子５１や駆動回路（図示しない）が搭載されている。ケース６０は、樹脂（ポリプロピレン等）からなるものであり、上ケース６１と下ケース６２とを有している。
【００１６】
保護パネル部材８０は、無機ガラスからなる透光性基板８１の後面に、遮光層８２と反射抑制層８３とを形成したものである。反射抑制層８３としては、例えば、ＡＲ層（反射防止層），モスアイ層（微細凹凸層），スモーク印刷層の何れかであるが、これらに限定されるものではない。ＡＲ層は、蒸着やディッピングによって形成される。
【００１７】
保護パネル部材８０の遮光層８２は、表示器１０の画面を視認可能な矩形の開口８２ａと、表示器２０の画面を視認可能な矩形の開口８２ｂと、表示器３０の画面を視認可能な矩形の開口８２ｃとを有している。反射抑制層８３は、表示器１０の前側に設けられており、正面視で一部が遮光層８２に重なり、反射抑制層８３の輪郭線が隠される。保護パネル部材８０は、ケース６０に固定されている。
【００１８】
表示器２０，３０は、光硬化型の透明接着剤４０にてオプティカルボンディングされており、保護パネル部材８０に密着されている。表示器２０，３０は、透明接着剤４０で保護パネル部材８０に密着されていることにより、外光反射や結露が抑制される。
【００１９】
図３は、第二実施形態を示すものである。第二実施形態は、第一実施形態に比して遮光層８２が形成される面が異なるだけであり、他の構成は第一実施形態と同様である。
【００２０】
保護パネル部材８０は、無機ガラスからなる透光性基板８１の前面に遮光層８２を形成すると共に、透光性基板８１の後面に反射抑制層８３を形成したものである。保護パネル部材８０の遮光層８２は、表示器１０の画面を視認可能な矩形の開口８２ａと、表示器２０の画面を視認可能な矩形の開口８２ｂと、表示器３０の画面を視認可能な矩形の開口８２ｃとを有している。反射抑制層８３は、表示器１０の前側に設けられており、正面視で一部が遮光層８２に重なっている。
【００２１】
図４及び図５は、第三実施形態を示すものである。第三実施形態は、反射抑制フィルム８４を特徴とするものである。
【００２２】
保護パネル部材８０は、無機ガラスからなる透光性基板８１の後面に遮光層８２を形成すると共に、反射抑制フィルム８４を貼着したものである。保護パネル部材８０の遮光層８２は、表示器１０の画面を視認可能な矩形の開口８２ａと、表示器２０の画面を視認可能な矩形の開口８２ｂと、表示器３０の画面を視認可能な矩形の開口８２ｃとを有している。
【００２３】
反射抑制フィルム８４は、ベースフィルム８４ａ及び反射抑制層８４ｂからなるものである。反射抑制層８４ｂとしては、例えば、ＡＲ層（反射防止層），モスアイ層（微細凹凸層），スモーク印刷層の何れかであるが、これらに限定されるものではない。反射抑制フィルム８４は、接着層８５にて保護パネル部材８０の後面に貼着されている。
【００２４】
各実施形態によれば、表示器１０は保護パネル部材８０に密着していないが、反射抑制層８３，８４ｂによって、外光反射が抑制されるため、表示器１０と表示器２０，３０とを視認したときに統一感がある。また、反射抑制層８３，８４ｂは、正面視で遮光層８２に一部が重なっているため、反射抑制層８３，８４ｂの輪郭線が目立たない。
【符号の説明】
【００２５】
１０    表示器（第二の表示器）
２０    表示器（第一の表示器）
３０    表示器（第一の表示器）
４０    透明接着剤
８０    保護パネル部材
８２    遮光層（遮光部）
８２ａ  開口
８３    反射抑制層（反射抑制部）
８４ｂ  反射抑制層（反射抑制部）
【図１】
2015148680.tif 000003
【図２】
2015148680.tif 000004
【図３】
2015148680.tif 000005
【図４】
2015148680.tif 000006
【図５】
2015148680.tif 000007